(57)【要約】【課題】本発明は上記課題を解決するためになされたもので、厚み方向に複数の記録層を持つ光ディスクに対してトラッキング調整を行う場合であっても、受光手段の受光面上に投影されるスポットに干渉縞を発生させないので、トラッキング制御に用いる信号の精度を上げることができる光ピックアップ装置および光ディスク装置を提供することを目的とする。【解決手段】レーザ光を出射する光源１と、レーザ光を少なくとも第１記録層と第２記録層とからなる光ディスク１０１に集光する対物レンズ５と、光ディスク１０１からの反射光を受光するＯＥＩＣ７と、を備え、光ディスク１０１と対物レンズ５の間に位置しレーザ光の少なくとも一部を遮光する遮光手段を有し、遮光手段は、少なくとも光ディスク１０１からの反射光を完全に遮光する遮光領域５ａと、光ディスク１０１からの反射光の一部を透過させる低透過率領域５ｂと、から構成されることを特徴とする。【選択図】図１
2010073228.tif 000002
【特許請求の範囲】
【請求項１】
レーザ光を出射する光源と、
前記レーザ光を少なくとも第１記録層と第２記録層とからなる光ディスクに集光する対物レンズと、
前記光ディスクからの反射光を受光する受光手段と、を備え、
前記光ディスクと前記対物レンズの間に位置し前記レーザ光の少なくとも一部を遮光する遮光手段を有し、
前記遮光手段は、少なくとも前記光ディスクからの反射光を完全に遮光する遮光領域と、前記光ディスクからの反射光の一部を透過させる低透過率領域と、から構成されることを特徴とする光ピックアップ装置。
【請求項２】
前記遮光手段は、前記対物レンズの前記光ディスクと対向する面に設けられていることを特徴とする請求項１記載の光ピックアップ装置。
【請求項３】
前記遮光領域は、前記対物レンズの前記光ディスクと対向する面の略中央に配置されていることを特徴とする請求項２記載の光ピックアップ装置。
【請求項４】
前記低透過率領域は、前記遮光領域を中心に略ドーナツ状に配置されていることを特徴とする請求項３記載の光ピックアップ装置。
【請求項５】
レーザ光を出射する光源と、
前記レーザ光を少なくとも第１記録層と第２記録層とからなる光ディスクに集光する対物レンズと、
前記光ディスクからの反射光を受光する受光手段と、を備え、
前記対物レンズは前記光ディスクと対向する面に前記レーザ光の少なくとも一部を遮光する遮光手段を有し、
前記遮光手段は、前記対物レンズの前記光ディスクと対向する面の略中央に配置され前記光ディスクからの反射光を完全に遮光する遮光領域と、前記遮光領域を中心に略ドーナツ状に配置され前記光ディスクからの反射光の一部を透過させる低透過率領域と、から構成されることを特徴とする光ピックアップ装置。
【請求項６】
請求項５記載の光ピックアップ装置と、
光ディスクを回転させる回転駆動手段と、
前記回転駆動手段に対して前記光ピックアップ装置を近づけたり遠ざけたりする移動手段と、を備えたことを特徴とする光ディスク装置。
【発明の詳細な説明】
【技術分野】
【０００１】
本発明は、光ディスクに情報の記録または再生の少なくとも一方を行う光ピックアップ装置および光ディスク装置に関するものである。
【背景技術】
【０００２】
現在、光ディスクは、高密度記録を実現できるように、光ディスクの厚み方向に複数の記録層を持つものが増えてきた。この厚み方向に複数の記録層を持つ光ディスクに記録、もしくはこの厚み方向に複数の記録層を持つ光ディスクを再生する場合、所望の記録層からの反射光に他の記録層からの反射光が迷光として加わる。このとき、光ディスク装置は、所望の記録層からの反射光と他の記録層からの反射光と同時に受光部に入射した状態で、トラッキング制御をする必要がある。
【特許文献１】特開２００７−００４８６７号公報
【発明の開示】
【発明が解決しようとする課題】
【０００３】
しかしながら、所望の記録層からの反射光と他の記録層からの反射光とが同時に受光部に入射した場合、その受光部に入射した反射光を用いてトラッキング調整を行おうとすると、トラッキング制御に支障をきたす場合があるという問題があった。
【０００４】
特に、ブルーレイディスクに記録する、もしくはブルーレイディスクを再生する場合、ブルーレイディスクはその基材厚が薄く各記録層間の距離が接近しているので、所望の記録層からの反射光に他の記録層からの反射光が迷光として加わりやすい。
【０００５】
図８は、所望の記録層からの反射光と他の記録層からの反射光とが同時に受光部に入射する様子を示す図である。図８（ａ）は所望の記録層からの反射光と他の記録層からの反射光とが同時に受光部に入射する様子を示し、図８（ｂ）は受光領域に投影される干渉縞の様子を示す図である。図８において、１１〜１３は受光領域である。
【０００６】
光ピックアップの受光部は、受光領域１１、受光領域１２、受光領域１３の３つの受光領域から形成されている。
【０００７】
光源から出射されたレーザ光は、回折素子で１つのメインレーザ光と２つのサブレーザ光の合計３つに分割されて光ディスクに照射される。そして、光ディスクに照射された３つのレーザ光は光ディスクで反射される。
【０００８】
光ディスクから反射された反射光のうち、所望の記録層からの反射光は、１つのメインレーザ光と２つのサブレーザ光の合計３つに分割されたまま、各々、受光領域１１、受光領域１２、受光領域１３に入射する。また、光ディスクから反射された反射光のうち、所望の記録層以外で反射された反射光も、１つのメインレーザ光と２つのサブレーザ光の合計３つに分割されたまま、光ピックアップの受光部に入射する。このとき、他の記録層からの反射光は、フォーカス位置が最適でないので、受光領域に投影される反射光のスポット形状は所望の記録層からの反射光のスポット形状に比べて大きくなる。
【０００９】
このため、所望の記録層からの反射光と他の記録層からの反射光とが同時に受光部に入射する場合、図８（ａ）に示す状態になる。ここで、受光領域１１のみに入射する光は所望の記録層からのメインレーザ光、受光領域１２と受光領域１３のみに入射する光は所望の記録層からのサブレーザ光、受光領域１１と受光領域１２と受光領域１３の全てに入射する光は、他の記録層からのメインレーザ光となる。
【００１０】
受光領域１１では所望の記録層からのメインレーザ光によるスポットと他の記録層からのメインレーザ光によるスポットとが干渉し、受光領域１１の受光面上で図８（ｂ）に示す干渉縞が発生する。また、受光領域１２では所望の記録層からのサブレーザ光と他の記録層からのメインレーザ光とが干渉し、受光領域１２の受光面上で図８（ｂ）に示す干渉縞が発生する。また、受光領域１３では所望の記録層からのサブレーザ光と他の記録層からのメインレーザ光とが干渉し、受光領域１３の受光面上で図８（ｂ）に示す干渉縞が発生する。
【００１１】
このように、受光領域１１、受光領域１２、受光領域１３のそれぞれの領域で干渉縞が発生すると受光領域上の光量分布に誤差が生じてしまい、トラッキング制御に支障をきたす場合があるという問題があった。
【００１２】
本発明は、上記課題を解決するためになされたものであり、厚み方向に複数の記録層を持つ光ディスクに対してトラッキング調整を行う場合であっても、受光手段の受光面上に投影されるスポットに干渉縞を発生させないので、トラッキング制御に用いる信号の精度を上げ、トラッキング制御の精度を高めることができる光ピックアップ装置および光ディスク装置を提供することを目的とする。
【課題を解決するための手段】
【００１３】
本発明は上記課題を解決するためになされたものであって、レーザ光を出射する光源と、レーザ光を少なくとも第１記録層と第２記録層とからなる光ディスクに集光する対物レンズと、光ディスクからの反射光を受光する受光手段と、を備え、光ディスクと対物レンズの間に位置しレーザ光の少なくとも一部を遮光する遮光手段を有し、遮光手段が、少なくとも光ディスクからの反射光を完全に遮光する遮光領域と、光ディスクからの反射光の一部を透過させる低透過率領域と、から構成されることを特徴とするものである。
【発明の効果】
【００１４】
本発明は上記構成により、所望の記録層からの反射光に他の記録層からの反射光が迷光として加わった際、他の記録層からの反射光により形成されるスポットの中央領域を除去するので、所望の記録層からの反射光と他の記録層からの反射光とを同時に受光領域に入射させない。その結果、厚み方向に複数の記録層を持つ光ディスクに対してトラッキング調整を行う場合であっても、受光手段の受光面上に投影されるスポットに干渉縞を発生させないので、トラッキング制御に用いる信号の精度を上げ、トラッキング制御の精度を高めることができる光ピックアップ装置および光ディスク装置を実現できる。
【発明を実施するための最良の形態】
【００１５】
請求項１記載の発明は、レーザ光を出射する光源と、レーザ光を少なくとも第１記録層と第２記録層とからなる光ディスクに集光する対物レンズと、光ディスクからの反射光を受光する受光手段と、を備え、光ディスクと対物レンズの間に位置しレーザ光の少なくとも一部を遮光する遮光手段を有し、遮光手段が、少なくとも光ディスクからの反射光を完全に遮光する遮光領域と、光ディスクからの反射光の一部を透過させる低透過率領域と、から構成されるものである。これにより、所望の記録層からの反射光に他の記録層からの反射光が迷光として加わった際、他の記録層からの反射光により形成されるスポットの中央領域を除去するので、所望の記録層からの反射光と他の記録層からの反射光とを同時に受光領域に入射させない。その結果、厚み方向に複数の記録層を持つ光ディスクに対してトラッキング調整を行う場合であっても、受光手段の受光面上に投影されるスポットに干渉縞を発生させないので、トラッキング制御に用いる信号の精度を上げ、トラッキング制御の精度を高めることができる光ピックアップ装置を実現できる。
【００１６】
請求項２記載の発明は、遮光手段が、対物レンズの光ディスクと対向する面に設けられていることを特徴とするものである。これにより、光学部品群に入る直前で他の記録層からの反射光により形成されるスポットの中央領域を遮光するので、光路上、受光手段から最も遠い位置で遮光でき、他の記録層からの反射光を確実に受光手段に入射させない。
【００１７】
請求項３記載の発明は、遮光領域が、対物レンズの光ディスクと対向する面の略中央に配置されていることを特徴とするものである。これにより、他の記録層からの反射光により形成されるスポットの中央領域を効率良く遮光できる。
【００１８】
請求項４記載の発明は、低透過率領域が遮光領域を中心に略ドーナツ状に配置されていることを特徴とするものである。これにより、他の記録層からの反射光により形成されるスポットの中央領域を効率良く遮光すると共に、所望の記録層から反射光の低下を最小限に抑えることができる。
【００１９】
請求項５記載の発明は、レーザ光を出射する光源と、レーザ光を少なくとも第１記録層と第２記録層とからなる光ディスクに集光する対物レンズと、光ディスクからの反射光を受光する受光手段と、を備え、対物レンズが光ディスクと対向する面にレーザ光の少なくとも一部を遮光する遮光手段を有し、遮光手段が、対物レンズの光ディスクと対向する面の略中央に配置され光ディスクからの反射光を完全に遮光する遮光領域と、遮光領域を中心に略ドーナツ状に配置され光ディスクからの反射光の一部を透過させる低透過率領域と、から構成されることを特徴とするものである。これにより、所望の記録層からの反射光に他の記録層からの反射光が迷光として加わった際、他の記録層からの反射光により形成されるスポットの中央領域を除去するので、所望の記録層からの反射光と他の記録層からの反射光とを同時に受光領域に入射させない。その結果、厚み方向に複数の記録層を持つ光ディスクに対してトラッキング調整を行う場合であっても、受光手段の受光面上に投影されるスポットに干渉縞を発生させないので、トラッキング制御に用いる信号の精度を上げ、トラッキング制御の精度を高めることができる光ピックアップ装置を実現できる。また、光学部品群に入る直前で他の記録層からの反射光により形成されるスポットの中央領域を遮光するので、光路上、受光手段から最も遠い位置で遮光でき、他の記録層からの反射光を確実に受光手段に入射させない。
【００２０】
請求項６記載の発明は、請求項５記載の光ピックアップ装置と、光ディスクを回転させる回転駆動手段と、回転駆動手段に対して光ピックアップ装置を近づけたり遠ざけたりする移動手段と、を備えたことを特徴とするものである。これにより、所望の記録層からの反射光に他の記録層からの反射光が迷光として加わった際、他の記録層からの反射光により形成されるスポットの中央領域を除去するので、所望の記録層からの反射光と他の記録層からの反射光とを同時に受光領域に入射させない。その結果、厚み方向に複数の記録層を持つ光ディスクに対してトラッキング調整を行う場合であっても、受光手段の受光面上に投影されるスポットに干渉縞を発生させないので、トラッキング制御に用いる信号の精度を上げ、トラッキング制御の精度を高めることができる光ディスク装置を実現できる。
【００２１】
（実施の形態１）
以下、本発明の実施の形態１について、図面を参照しながら説明する。
【００２２】
なお、本実施の形態１では、厚み方向に複数の記録層を持つ光ディスクを２層の記録層を持つ光ディスクとして説明する。また、情報の記録または再生を行う記録層を記録層１０１ａ、情報の記録または再生を行わない記録層を記録層１０１ｂとし、記録層１０１ａを所望の記録層、記録層１０１ｂを他の記録層として説明する。
【００２３】
図１は、本発明の実施の形態１における光ディスク装置のブロック図である。図１において、１は光源、２は回折格子、３はコリメータレンズ、４は分割素子、５は対物レンズ、５ａは遮光領域、５ｂは低透過率領域、５ｃは高透過率領域、６は検出レンズ、７はＯＥＩＣ、１０１は光ディスク、１０１ａは記録層、１０１ｂは記録層である。なお、本実施の形態１における光源は光源１、対物レンズは対物レンズ５、受光手段はＯＥＩＣ７（Ｏｐｔｏ−Ｅｌｅｃｔｒｏｎｉｃ  Ｉｎｔｅｇｒａｔｅｄ  Ｃｉｒｃｕｉｔ、以下、単にＯＥＩＣと呼ぶ）、遮光手段は遮光領域５ａと低透過率領域５ｂ、遮光領域は遮光領域５ａ、低透過率領域は低透過率領域５ｂに相当する。
【００２４】
光源１は、波長４０５ｎｍのレーザ光を発するＢＤ（Ｂｌｕ−ｒａｙ  Ｄｉｓｃ、以下単にＢＤと呼ぶ）用の半導体レーザと、波長約６５０ｎｍのレーザ光を発するＤＶＤ（Ｄｉｇｉｔａｌ  Ｖｅｒｓａｔｉｌｅ  Ｄｉｓｃ、以下単にＤＶＤと呼ぶ）用の半導体レーザと、波長約７８０ｎｍのレーザ光を発するＣＤ（Ｃｏｍｐａｃｔ  Ｄｉｓｃ、以下単にＣＤと呼ぶ）用の半導体レーザと、が収納されている。光ディスク装置は、装着された光ディスク１０１に対応するレーザ光を出射する。
【００２５】
光源１から出射されたレーザ光は回折格子２に入射後、１つのメインレーザ光と２つのサブレーザ光の合計３つに分割される。分割された３つのレーザ光は、コリメータレンズ３に入射して発散光から平行光に変換される。その後、分割された３つのレーザ光は分割素子４で反射され、対物レンズ５に導かれる。対物レンズ５に導かれた３つのレーザ光は、光ディスク１０１の記録面１０１ａ、すなわち所望の記録層に集光される。その後、光ディスク１０１の記録面１０１ａで反射された３つのレーザ光は、対物レンズ５を経由して分割素子４に導かれる。
【００２６】
分割素子４は、光源１から入射する光を対物レンズ５の方向に反射させると共に、対物レンズ５から入射する光を透過させる特性を有するので、対物レンズ５を経由して分割素子４に導かれた３つのレーザ光は、分割素子４を透過して検出レンズ６に入射する。検出レンズ６に入射した３つのレーザ光は、ここで、それぞれ集束されてＯＥＩＣ７の受光面上に到達する。
【００２７】
ここで、本発明の特徴部分について説明する。
【００２８】
光ディスク１０１と対物レンズ５の間には、光源１から出射されたレーザ光の少なくとも一部を遮光する遮光手段が設けられている。本実施の形態１の場合、この遮光手段は、対物レンズ５に設けられた遮光領域５ａと低透過率領域５ｂに相当する。遮光領域５ａ，低透過率領域５ｂは共にスパッタリング法で形成され、遮光領域５ａは光ディスク１０１からの反射光を完全に遮光する特性を有し、低透過率領域５ｂは光ディスク１０１からの反射光の一部を透過させ、残りの反射光を遮光する特性を有している。
【００２９】
次に、遮光手段が設けられた対物レンズの詳細について説明する。
【００３０】
図２は、本発明の実施の形態１における対物レンズの上面と側面を示す図である。図２（ａ）は対物レンズの上面図を示し、図２（ｂ）は対物レンズの断面図を示している。図２において、５は対物レンズ、５ａは遮光領域、５ｂは低透過率領域、５ｃは高透過率領域、５ｄは集光部、５ｅはレンズコバ部、１０１は光ディスク、１０１ａは記録層、１０１ｂは記録層である。なお、図２（ｂ）においては、記録層１０１ａからの反射光のメインレーザ光を実線、記録層１０１ｂからの反射光のメインレーザ光を破線で示す。
【００３１】
対物レンズ５は、レーザ光を集光させる略球面状の集光部５ｄと、トラッキング制御もしくはフォーカス制御ができるように対物レンズ５をホルダ（図示せず）に固定するレンズコバ部５ｅとから形成されている。集光部５ｄは、略球面の内部を通る３つのレーザ光の光軸が光ディスク１０１の記録面１０１ａ、記録面１０１ｂに対して略垂直になるように配置されている。
【００３２】
集光部５ｄの光ディスク１０１に対向する面は、光ディスク１０１からの反射光を略全て透過させる高透過率領域５ｃと、光ディスク１０１からの反射光の一部を透過させて残りの反射光を遮光する特性を有する低透過率領域５ｂと、光ディスク１０１からの反射光を完全に遮光する特性を有する遮光領域５ａと、から構成されている。
【００３３】
厚み方向に複数の記録層を持つ光ディスク１０１に記録、もしくはこの厚み方向に複数の記録層を持つ光ディスクを再生する場合、光ディスク１０１からの反射光は、所望の記録層である記録層１０１ａからの反射光に加え、他の記録層である記録層１０１ｂからの反射光も含まれている。そして、記録層１０１ａからの反射光と記録層１０１ｂからの反射光とは、対物レンズ５を経由して、少なくとも分割素子４と検出レンズ６などで構成される光学部品群の光路上に入射する。
【００３４】
このとき、遮光手段を形成する遮光領域５ａと低透過率領域５ｂとは、対物レンズ５の光ディスク１０１と対向する面に設けられている。そして、遮光領域５ａは対物レンズ５の光ディスク１０１と対向する面の略中央に配置され、低透過率領域５ｂは遮光領域５ａを中心に略ドーナツ状に配置されている。
【００３５】
そのため、記録層１０１ａからの反射光と記録層１０１ｂからの反射光は、対物レンズ５に入射する際、対物レンズ５の表面に設けられた遮光領域５ａと低透過率領域５ｂとにより遮光される。これにより、記録層１０１ａからの反射光と記録層１０１ｂからの反射光は、それぞれ対物レンズ５に投影されるスポットの中心が遮光され、ドーナツ状のスポットとして分割素子４に向かう。
【００３６】
図３は、本発明の実施の形態１における対物レンズの上面と断面を示す図である。図３（ａ）は対物レンズの上面図を示し、図３（ｂ）は図３（ａ）に示す対物レンズのＩ−Ｉ´断面図、図３（ｃ）は図３（ａ）に示す対物レンズのＪ−Ｊ´断面図、図３（ｃ）は図３（ｄ）に示す対物レンズのＫ−Ｋ´断面図である。図３において、５は対物レンズ、５ａは遮光領域、５ｂは低透過率領域、５ｃは高透過率領域、５ｄは集光部、５ｅはレンズコバ部である。
【００３７】
遮光領域５ａと低遮光領域５ｂは、光の透過率が略１００％の集光部５ｄの表面に膜として形成される。ここで、遮光領域５ａは光ディスク１０１からの反射光を略１００％遮光し、低遮光領域５ｂは光ディスクからの反射光を７０％程度遮光する。遮光領域５ａと低遮光領域５ｂは、図３からもわかるように、その厚さが略均一の膜により形成されている。このため、遮光領域５ａに到達したレーザ光は、遮光領域５ａのどの位置に到達しても、そのレーザ光の光量の略１００％が遮光される。また、低透過率領域５ｂに到達したレーザ光は、低透過率領域５ｂのどの位置に到達しても、そのレーザ光の光量の略１００％が遮光される。
【００３８】
厚み方向に複数の記録層を持つ光ディスク１０１は、例えば、記録層１０１ａと記録層１０１ｂが平行でない場合があるので、図３に示すような遮光領域５ａと低遮光領域５ｂとを遮光手段として用いることで、対物レンズ５に対する記録層１０１ａからの反射光の入射角度と、記録層１０１ｂからの反射光の入射角度とが異なる場合であっても、低遮光領域５ｂで記録層１０１ｂからの反射光の一部を遮光できる。
【００３９】
図４は、本発明の実施の形態１における所望の記録層からの反射光と他の記録層からの反射光とが同時に分割素子に入射する様子を示す図であり、所望の記録層からの反射光と他の記録層からの反射光とが入射する方向、すなわち図１に示すＬ方向から見た図である。図４において、４は分割素子、４１ａ，４１ｂ，４２ａ，４２ｂ，４３ａ，４３ｂ，４４ａ，４４ｂは領域である。
【００４０】
記録層１０１ａからのメインレーザ光により分割素子４上に投影される領域は、領域４１ａ，領域４１ｂである。領域４１ａは、記録層１０１ａからのメインレーザ光が対物レンズ５の遮光領域５ａで遮光されてレーザ光が到達しない、もしくは低透過率領域５ｂを通過してレーザ光が減衰して届く領域である。また、領域４１ｂは、記録層１０１ａからのメインレーザ光が対物レンズ５の高透過率領域５ｃを通過してレーザ光が減衰せずに届く領域である。
【００４１】
また、記録層１０１ａからのサブレーザ光により分割素子４上に投影される領域は、領域４２ａ，領域４２ｂ，領域４３ａ，領域４３ｂである。領域４２ａ，領域４３ａは、記録層１０１ａからのサブレーザ光が対物レンズ５の遮光領域５ａで遮光されてレーザ光が到達しない、もしくは低透過率領域５ｂを通過してレーザ光が減衰して届く領域である。また、領域４２ｂ，４３ｂは、記録層１０１ａからのサブレーザ光が対物レンズ５の高透過率領域５ｃを通過してレーザ光が減衰せずに届く領域である。
【００４２】
また、記録層１０１ｂからのメインレーザ光により分割素子４上に投影される領域は、領域４４ａ，領域４４ｂである。領域４４ａは、記録層１０１ｂからのメインレーザ光が対物レンズ５の遮光領域５ａで遮光されてレーザ光が到達しない、もしくは低透過率領域５ｂを通過してレーザ光が減衰して届く領域である。また、領域４４ｂは、記録層１０１ｂからのメインレーザ光が対物レンズ５の高透過率領域５ｃを通過してレーザ光が減衰せずに届く領域である。
【００４３】
このように、所望の記録層である記録層１０１ａからの反射光と、他の記録層である記録層１０１ｂからの反射光により分割素子４上に投影される領域は、分割素子４の入射面に対してそれぞれ周辺部が中心部に比べ明るいドーナツ状のスポットとして投影される。
【００４４】
図５は、本発明の実施の形態１における所望の記録層からの反射光と他の記録層からの反射光とが同時に検出レンズに入射する様子を示す図であり、所望の記録層からの反射光と他の記録層からの反射光とが入射する方向、すなわちＭ方向から見た図である。図５において、６は検出レンズ、６１ａ，６１ｂ，６１ｃ，６２ａ，６２ｂ，６２ｃ，６３ａ，６３ｂ，６３ｃ，６４ａ，６４ｂは領域である。
【００４５】
記録層１０１ａからのメインレーザ光により検出レンズ６上に投影される領域は、領域６１ａ，領域６１ｂである。領域６１ａは、記録層１０１ａからのメインレーザ光が対物レンズ５の遮光領域５ａで遮光されてレーザ光が到達しない、もしくは低透過率領域５ｂを通過してレーザ光が減衰して届く領域である。また、領域６１ｂは、記録層１０１ａからのメインレーザ光が対物レンズ５の高透過率領域５ｃを通過してレーザ光が減衰せずに届く領域である。
【００４６】
また、記録層１０１ａからのサブレーザ光により検出レンズ６上に投影される領域は、領域６２ａ，領域６２ｂ，領域６３ａ，領域６３ｂである。領域６２ａ，領域６３ａは、記録層１０１ａからのサブレーザ光が対物レンズ５の遮光領域５ａで遮光されてレーザ光が到達しない、もしくは低透過率領域５ｂを通過してレーザ光が減衰して届く領域である。また、領域６２ｂ，６３ｂは、記録層１０１ａからのサブレーザ光が対物レンズ５の高透過率領域５ｃを通過してレーザ光が減衰せずに届く領域である。
【００４７】
また、記録層１０１ｂからのメインレーザ光により検出レンズ６上に投影される領域は、領域６４ａ，領域６４ｂである。領域６４ａは、記録層１０１ｂからのメインレーザ光が対物レンズ５の遮光領域５ａで遮光されてレーザ光が到達しない、もしくは低透過率領域５ｂを通過してレーザ光が減衰して届く領域である。また、領域６４ｂは、記録層１０１ｂからのメインレーザ光が対物レンズ５の高透過率領域５ｃを通過してレーザ光が減衰せずに届く領域である。
【００４８】
このように、所望の記録層である記録層１０１ａからの反射光と、他の記録層である記録層１０１ｂからの反射光により検出レンズ６上に投影される領域は、検出レンズ６の入射面に対してそれぞれ周辺部が中心部に比べ明るいドーナツ状のスポットとして投影される。
【００４９】
図６は、本発明の実施の形態１における所望の記録層からの反射光と他の記録層からの反射光とが同時に受光部に入射する様子を示す図である。図６（ａ）は所望の記録層からの反射光と他の記録層からの反射光とが同時に受光領域に入射する様子を示し、図６（ｂ）は受光領域に投影される干渉縞の様子を示す図である。図６において、１１〜１３は受光領域、１４〜１７は遮光部分である。
【００５０】
ＯＥＩＣ７の受光部は、受光領域１１、受光領域１２、受光領域１３の３つの受光領域から形成されている。
【００５１】
光源１から出射されたレーザ光は、回折素子２で１つのレーザ光と２つのレーザ光の合計３つに分割されて光ディスク１０１に照射される。そして、光ディスク１０１に照射された３つのレーザ光は光ディスク１０１で反射される。
【００５２】
光ディスク１０１から反射された反射光のうち、所望の記録層である記録層１０１ａからの反射光は、１つのメインレーザ光と２つのサブレーザ光の合計３つに分割されたまま、分割素子４、検出レンズ６を経由してＯＥＩＣ７に向かう。その後、ＯＥＩＣ７では、１つのメインレーザ光はＯＥＩＣ７の受光領域である受光領域１１、２つのサブレーサ光はＯＥＩＣ７の受光領域である受光領域１２と受光領域１３に入射する。
【００５３】
一方、光ディスク１０１から反射された反射光のうち、他の記録層である記録層１０１ｂからの反射光も、１つのメインレーザ光と２つのサブレーザ光の合計３つに分割されたまま、ＯＥＩＣ７の受光領域に入射する。このとき、対物レンズ５のフォーカス方向の位置は記録層１０１ａに対して最適になるように調整されているので、記録層１０１ｂからの反射光はフォーカスが最適になっていない状態である。このため、ＯＥＩＣ７の受光領域に投影される記録層１０１ｂからの反射光は、そのスポット形状が記録層１０１ａからの反射光のスポット形状に比べて大きくなる。そのため、記録層１０１ｂから反射される１つのメインレーザ光は、受光領域１１、受光領域１２、受光領域１３の３つの受光領域全ての範囲に投影される。
【００５４】
ところが、本発明では対物レンズ５の光ディスク１０１と対向する面に遮光領域５ａと低透過率領域５ｂが設けられている。そのため、記録層１０１ａからの反射光と記録層１０１ｂからの反射光は、ＯＥＩＣ７に投影されるスポット形状の中央領域が遮光された状態でＯＥＩＣ７に到達する。
【００５５】
ここで、対物レンズ５のフォーカス方向の位置は記録層１０１ａに対して最適になるように調整されているので、受光領域に投影される記録層１０１ｂからの反射光のスポット形状は、記録層１０１ａからの反射光のスポット形状に比べて大きくなる。
【００５６】
そのため、記録層１０１ａからの反射光と記録層１０１ｂからの反射光は、それぞれ、その中央領域に影を持つスポットとなる。記録層１０１ａからの反射光は、遮光部分１４，１５，１６を有するスポット全体をそれぞれ受光領域１１、受光領域１２、受光領域１３に投影する。一方、記録層１０１ｂからの反射光は、遮光部分１７を有するスポットの遮光部分１７のみを受光領域１１〜１３全体に投影する。
【００５７】
このように、本発明では、記録層１０１ａからの反射光と記録層１０１ｂからの反射光とを同時に受光領域１１、１２、１３に入射させること無く、受光領域１１に入射するレーザ光は記録層１０１ａからのメインレーザ光のみ、受光領域１２に入射するレーザ光は記録層１０１ａからのサブレーザ光のみ、受光領域１３に入射するレーザ光は記録層１０１ａからのサブレーザ光のみとする。これにより、受光領域１１では、記録層１０１ａからのメインレーザ光によるスポットと、記録層１０１ｂからのメインレーザ光によるスポットとが干渉しないので、受光領域１１上に干渉縞を発生させることが無い。また、受光領域１２では、記録層１０１ａからのメインレーザ光によるスポットと、記録層１０１ｂからのメインレーザ光によるスポットとが干渉しないので、受光領域１２上に干渉縞を発生させることが無い。また、受光領域１３では、記録層１０１ａからのメインレーザ光によるスポットと、記録層１０１ｂからのメインレーザ光によるスポットとが干渉しないので、受光領域１３上に干渉縞を発生させることが無い。
【００５８】
以上の内容により、所望の記録層からの反射光に他の記録層からの反射光が迷光として加わった際、他の記録層からの反射光により形成されるスポットの中央領域を除去するので、所望の記録層からの反射光と他の記録層からの反射光とを同時に受光領域に入射させない。その結果、厚み方向に複数の記録層を持つ光ディスクに対してトラッキング調整を行う場合であっても、受光手段の受光面上に投影されるスポットに干渉縞を発生させないので、トラッキング制御に用いる信号の精度を上げ、トラッキング制御の精度を高めることができる光ピックアップ装置を実現できる。
【００５９】
また、本発明は、図２に示すように、遮光手段を形成する遮光領域５ａと低透過率領域５ｂとを対物レンズ５の光ディスク１０１と対向する面に設け、光学部品群に入る直前で他の記録層からの反射光により形成されるスポットの中央領域を遮光するので、光路上、受光手段から最も遠い位置で遮光でき、他の記録層からの反射光を確実に受光手段に入射させない。
【００６０】
さらに、本発明は、図２に示すように、遮光領域５ａを、対物レンズ５の光ディスク１０１と対向する面の略中央に配置しているので、他の記録層からの反射光により形成されるスポットの中央領域を効率良く遮光できる。
【００６１】
さらにまた、本発明は、図２に示すように、低透過率領域５ｂが遮光領域５ａを中心に略ドーナツ状に配置されているので、他の記録層からの反射光により形成されるスポットの中央領域を効率良く遮光すると共に、所望の記録層から反射光の低下を最小限に抑えることができる。
【００６２】
なお、本実施の形態１では、光ディスク１０１がその厚み方向に２つの記録層を持つものについて説明したが、これに限定されるものではなく、光ディスク１０１が３層以上の記録層を持つものについても適用可能である。
【００６３】
また、本実施の形態１では、遮光手段を対物レンズの表面に設けられた膜として説明したが、これに限定されるものではなく、例えば、対物レンズ５と光ディスク１０１の間に別部材として設けるものであっても良い。
【００６４】
図７は、本発明の実施の形態１における光ピックアップを用いた光ディスク装置を示す図である。図７において、２００は筐体、２００ａは上部筐体部、２００ｂは下部筐体部、２０１はトレイ、２０２はスピンドルモータ、２０３は光ピックアップ、２０４はベゼル、２０５は出没口、２０６はレール、２０７はレール、２０８はイジェクトスイッチ、２０９はキャリッジである。なお、本実施の形態１における回転駆動手段はスピンドルモータ２０２、移動手段はキャリッジ２０９である。
【００６５】
筐体２００は、上部筐体部２００ａと下部筐体部２００ｂを組み合わせて構成されている。なお、上部筐体部２００ａと下部筐体部２００ｂとは螺旋などを用いて、互いに固着されている。トレイ２０１は筐体２００に出没自在に設けられ、トレイ２０１の中央付近にスピンドルモータ２０２が設けられている。
【００６６】
光ピックアップ２０３は、光ディスク１０１に情報の記録または再生の少なくとも一方を行う。また、光ピックアップ２０３は、光ディスクの半径方向に移動可能に保持されたキャリッジ２０９に搭載され、キャリッジ２０９は光ピックアップ２０３をスピンドルモータ２０２に対して近づけたり遠ざけたりする。
【００６７】
ベゼル２０４はトレイ２０１の前端面に設けられ、トレイ２０１が筐体２００内に収納されたときに、トレイ２０１の出没口２０５を塞ぐように構成されている。
【００６８】
レール２０６、２０７は、それぞれトレイ２０１及び筐体２００の双方に摺動自在に取り付けられ、トレイ２０１の両側部にこのレール２０６，２０７は設けられており、このレール２０６，２０７にて矢印Ｐ方向に筐体２００からトレイ２０１が出没自在になるように取り付けられている。
【００６９】
トレイ２０１の前端面に設けられたベゼル２０４にはイジェクトスイッチ２０８が設けられており、このイジェクトスイッチ２０８を押すことで、筐体２００に設けられた係合部（図示せず）とトレイ２０１に設けられた係合部（図示せず）との係合を解除する。
【００７０】
図７に示す光ディスク装置に、本発明の光ピックアップ装置を搭載することにより、所望の記録層からの反射光に他の記録層からの反射光が迷光として加わった際、他の記録層からの反射光により形成されるスポットの中央領域を除去するので、所望の記録層からの反射光と他の記録層からの反射光とを同時に受光手段に入射させない。その結果、厚み方向に複数の記録層を持つ光ディスクに対してトラッキング調整を行う場合であっても、受光手段の受光面上に投影されるスポットに干渉縞を発生させないので、トラッキング制御に用いる信号の精度を上げ、トラッキング制御の精度を高めることができる光ディスク装置を実現できる。
【産業上の利用可能性】
【００７１】
本発明は、厚み方向に複数の記録層を持つ光ディスクに対してトラッキング調整を行う場合であっても、受光手段の受光面上に投影されるスポットに干渉縞を発生させず、トラッキング制御に用いる信号の精度を上げ、トラッキング制御の精度を高めることができるため、光ディスクに情報の記録または再生の少なくとも一方を行う光ピックアップ装置および光ディスク装置などに適応可能である。
【図面の簡単な説明】
【００７２】
【図１】本発明の実施の形態１における光ディスク装置のブロック図
【図２】本発明の実施の形態１における対物レンズの上面と側面を示す図
【図３】本発明の実施の形態１における対物レンズの上面と断面を示す図
【図４】本発明の実施の形態１における所望の記録層からの反射光と他の記録層からの反射光とが同時に分割素子に入射する様子を示す図
【図５】本発明の実施の形態１における所望の記録層からの反射光と他の記録層からの反射光とが同時に検出レンズに入射する様子を示す図
【図６】本発明の実施の形態１における所望の記録層からの反射光と他の記録層からの反射光とが同時に受光部に入射する様子を示す図
【図７】本発明の実施の形態１における光ピックアップを用いた光ディスク装置を示す図
【図８】所望の記録層からの反射光と他の記録層からの反射光とが同時に受光部に入射する様子を示す図
【符号の説明】
【００７３】
１    光源
２    回折格子
３    コリメータレンズ
４    分割素子
５    対物レンズ
５ａ    遮光領域
５ｂ    低透過率領域
５ｃ    高透過率領域
５ｅ    集光部
５ｅ    レンズコバ部
６    検出レンズ
７    ＯＥＩＣ
１１、１２、１３    受光領域
１４、１５、１６、１７    遮光部分
４１ａ、４１ｂ、４２ａ，４２ｂ、４３ａ，４３ｂ、４４ａ，４４ｂ    領域
６１ａ，６１ｂ、６２ａ，６２ｂ、６３ａ，６３ｂ、６４ａ，６４ｂ    領域
１０１    光ディスク
１０１ａ    記録層
１０１ｂ    記録層
２００    筐体
２００ａ    上部筐体部
２００ｂ    下部筐体部
２０１    トレイ
２０２    スピンドルモータ
２０３    光ピックアップ
２０４    ベゼル
２０５    出没口
２０６    レール
２０７    レール
２０８    イジェクトスイッチ
２０９    キャリッジ
【図１】
2010073228.tif 000003
【図２】
2010073228.tif 000004
【図３】
2010073228.tif 000005
【図４】
2010073228.tif 000006
【図５】
2010073228.tif 000007
【図６】
2010073228.tif 000008
【図７】
2010073228.tif 000009
【図８】
2010073228.tif 000010